(57)【要約】【課題】災害等の非常時には外部信号により、無人で上階から下階への避難道を形成する避難装置の提供を目的とする。【解決手段】建物の上階から下階に通じる避難口構造において、避難口上部を覆う蓋体と、外部信号を受けて無人でこの蓋体を自動開閉する駆動手段と、蓋体が上部に開く動作に連動して下階の床部に降下伸長する梯子とを備えた。【選択図】  図１
2005027955.tif 000002
【特許請求の範囲】
【請求項１】
建物の上階から下階に通じる避難口構造において、避難口上部を覆う蓋体と、外部信号を受けて無人でこの蓋体を自動開閉する駆動手段と、蓋体が上部に開く動作に連動して下階の床部に降下伸長する梯子とを備えたことを特徴とする無人開口避難装置。
【請求項２】
複数の小梯子を伸縮自在に連結し、最上段の小梯子を避難口側に連結し、最下段の小梯子を前記蓋体に設けたフック部に懸架し、蓋体が開くと最下段の小梯子がフック部から外れ、自重にて下階の床部に降下伸長することを特徴とする請求項１記載の無人開口避難装置。
【請求項３】
バランサ機能及び巻き上げ機能を備えたワイヤ巻取機を避難口側部に設け、ワイヤ巻取機から伸ばしたワイヤ先端を最下段小梯子に連結し、バランサ機能によりその降下伸長速度を調整でき、伸長した梯子を巻き上げ機能により引き上げて収縮出来ることを特徴とする請求項１又は請求項２記載の無人開口避難装置。
【請求項４】
蓋体と駆動手段との連結部を手動で解除する連結解除手段を備えたことを特徴とする請求項１〜請求項３のいずれかに記載の無人開口避難装置。
【発明の詳細な説明】
【技術分野】
【０００１】
本発明は、建築物の上階から下階に通じる非常時の避難口に設けられる避難装置に関する。
【背景技術】
【０００２】
マンション等のベランダ等には、火災等の非常時の避難用として階下のベランダ床に降りることができる避難口及び収納式避難梯子が備えられている。
これらの避難梯子は、その目的上速やかに蓋を開放し、梯子を降ろして避難道を形成することが要求されている。
例えば、特開平１１−２９０４７０号公報には、幼児による非力の引き上げ力での上蓋の開放を確実に防止して、幼児を除く通常の引き上げ力による上蓋の開放を許容した技術が開示されている。
しかしながら、火災等の非常時には一般に大人でも平常心を失いがちであり、人が避難口を開口して梯子を階下に降ろすことが困難な場合があった。
【０００３】
【特許文献１】特開平１１−２９０４７０号公報
【発明の開示】
【発明が解決しようとする課題】
【０００４】
本発明は上記技術的課題に鑑みて、災害等の非常時には外部信号を受けて、直ちに上階から下階への避難道を形成する避難装置の提供を目的とする。
【課題を解決するための手段】
【０００５】
請求項１記載の発明の技術的要旨は、建物の上階から下階に通じる避難口構造において、避難口上部を覆う蓋体と、外部信号を受けて無人でこの蓋体を自動開閉する駆動手段と、蓋体が上部に開く動作に連動して下階の床部に降下伸長する梯子とを備えた点である。
【０００６】
ここで、外部信号を受けてとは、火災検知機に連動した信号や火災警報を受けて警備員が発信する信号等遠隔信号を受けての意味であり、人が直接開口しなくても外部信号で作動することをいう。
また、外部信号は有線か無線かは問われない。
火災発生信号等の外部信号により、無人で自動的に避難口が開き、同時に伸縮梯子が降下伸長するので、非常時には直ちにベランダ等に避難道を形成することが出来る。
蓋体を自動的に開閉する手段としては、電動シリンダ等蓋体を下から上方に持ち上げる方法がよい。
ベランダ等に避難口を設ける場合に、蓋体の上にはなるべく突出物が無い方が良いからである。
【０００７】
請求項２記載の発明の技術的要旨は、複数の小梯子を伸縮自在に連結し、最上段の小梯子を避難口側に連結し、最下段の小梯子を前記蓋体に設けたフック部に懸架し、蓋体が開くと最下段の小梯子がフック部から外れ、自重にて下階の床部に降下伸長するようにした点である。
【０００８】
ここで、蓋体が開くと最下段の小梯子がフック部から外れるとは、蓋体の一端が上方に持ち上げられることにより蓋体の下部に設けたフックが傾き、最下段の小梯子の係合部が外れる等蓋体の動きに連動させたことをいう。
【０００９】
請求項３記載の発明の技術的要旨は、バランサ機能及び巻き上げ機能を備えたワイヤ巻取機を避難口側部に設け、ワイヤ巻取機から伸ばしたワイヤ先端を最下段小梯子に連結し、バランサ機能によりその降下伸長速度を調整でき、伸長した梯子を巻き上げ機能により引き上げて収縮出来ることとした点である。
【００１０】
バランサ機能と巻き上げ機能を備えたワイヤ巻取部を設け、ワイヤ先端を最下段の梯子に連結することで伸縮梯子の降下伸長時には、ワイヤ巻き取り方向にバネ付勢したワイヤ巻取部のバランサ機能により、その降下速度を制御し、ゆっくりとした危険のない速度とすることが出来る。
また、降下伸長した梯子は、巻き上げ機能によりワイヤを巻き取って引き上げ収縮させることが出来る。
また、蓋体と駆動手段との連結部を手動で解除する連結解除手段を備えると、外部信号によらなくても、いざという時に直接避難道を確保できる。
【発明の効果】
【００１１】
本発明に係る避難装置においては、非常時には外部信号により直ちに上階から下階に通じる避難口の蓋が開放され、伸縮梯子が降下伸長し階下の床に避難梯子がかけられる。
これにより避難者が特別の操作をしなくて済み迅速に避難できる。
【００１２】
複数の小梯子を伸縮自在に連結し、最下段の小梯子を蓋体に設けたフックに引っ掛けた構造になっているので、蓋を開くだけで簡単に階下に梯子がかけられる。
【００１３】
バランサ機能及び巻き上げ機能を備えたワイヤ巻取部を設けることで、梯子伸長時にその伸長速度をバランサ機能により適度に制限することが出来る。
また、巻き上げ機能により伸長した梯子を収縮させ、非常時における伸長状態から通常の収納状態へ容易に戻すことが出来る。
【発明を実施するための最良の形態】
【００１４】
本発明に係る避難装置を建物のベランダに適用した形態を説明する。
図７にベランダにおける避難装置の取付状態のイメージ図を示す。
建物の側面の上階にベランダ２が、避難階としての下階にベランダ３が設けられている。
図７ではベランダの避難口６より手前部分の床部材等は説明のため図示省略してある。
ベランダ床部材５には上階ベランダ空間２ａから下階のベランダ空間３ａまで床部材５を貫通する避難口６が設けられ、避難装置１０が取り付けられている。
避難装置１０は、避難口６を上方から覆う蓋体１１の下方に伸縮梯子２０を通常は縮めた状態で収納している。
尚、外観に配慮し伸縮梯子の汚れを防止する伸縮梯子のカバーは図示省略してある。
【００１５】
図１に通常時の避難梯子の取付状態を示す。
図１（イ）は側面図で、図１（ロ）は下方より見た斜視図である。
床部材５ａに設けられた避難口６ａ内に避難装置１０ａが取り付けられ、その蓋１１ａは避難口６ａを上方から覆っている。
蓋１１ａは、その一辺を避難口６ａの縁部８に蝶番等により開閉可能に連結されている。
蓋１１ａの下方には、それぞれ両側の支柱フレーム間にステップを設けた小梯子上段部２１ａ、小梯子中上段部２２ａ、小梯子中下段部２３ａ、小梯子下段部２４ａからなる伸縮自在の四連の伸縮梯子２０ａが避難口側面７ａに収縮状態で取り付けられている。
蓋１１ａ下面にはフック１２ａが設けられ、そのフック１２ａ下端にＬ字状の係止部１２ｃを形成し、梯子下段部２４ａ上部に設けられた溝２６に、係止部１２ｃを挿し込むことで小梯子下段部２４ａ上部を懸架している。
また蓋１１ａの下方には駆動部として電動シリンダ１４ａが、避難口側面７ａから蓋１１ａ下面に向けて配置され、その先の部分の拡大図を図８に示すように断面略コ字状のピストンピン先端部１６ａの内側には、蓋１１ａに軸１７ａを介して取り付けられている板状の係合部１７が挿し込まれてピストンピン先端部１６ａを蓋１１ａに係合している。
【００１６】
図１に示すように、電動シリンダ１４ａは貫通孔側面７ａに回転軸１４ｃを介して、軸受け１３により取り付けられ、ピストンピン１６が伸長してピン先端部１６ａが係合部１７を押し上げると蓋１１ａを開く構造となっている。
この電動シリンダ１４ａは火災発生信号等の外部入力信号により無人で駆動制御される。
この場合、外部入力信号を伝える駆動用信号線（図示省略）の先端は火災報知器（図示省略）に接続されている。
この駆動用信号線は押しボタン等に接続し、警備員や住人が押しボタンを押下することで電動シリンダを駆動する構造としても良い。
【００１７】
伸縮梯子２０ａは中上段部小梯子２２ａが上段部小梯子２１ａに対し、上段部小梯子２１ａの支柱フレーム３１ａに沿ってスライドし、中下段部小梯子２３ａが中上段部小梯子２２ａに対し中上段部小梯子２２ａの支柱フレーム３２ａに沿ってスライドし、下段部小梯子２４ａが中下段部小梯子２３ａに対し、中下段部小梯子２３ａの支柱フレーム３３ａに沿ってスライドすることで伸縮する。
この伸縮梯子２０ａは、上段部小梯子２１ａの中程が避難口側面７ａから設けられた支持部材２８により支持され、所定の傾斜を形成した状態で懸架されている。
伸縮梯子２０ａは下段部小梯子２４ａの上部に形成されている溝２６がフック１２ａに懸架されることにより収縮状態で蓋１１ａの下方に収納されている。
このフック１２ａから溝２６が外れると伸縮梯子２０ａは自重で降下伸長し、接地部２７が下階ベランダ床面に接地し、上階ベランダ空間から下階ベランダ空間までの避難道が形成される。
【００１８】
非常時等に外部信号が電動シリンダ１４ａに入力されると、電動シリンダ１４ａが駆動し、蓋１１ａを押し上げ、蓋１１ａの動作によりフック１２ａから下段部小梯子２４ａが外れ、伸縮梯子２０ａが降下伸長する。
【００１９】
図３により蓋の開放動作についてより詳しく説明する。
図３（イ）に通常時の蓋状態を側面から見た要部図を示す。
図では分かりやすくするため、床部材や伸縮梯子等は図示省略してある。
シリンダ１４ａはシリンダ１４ａ側面の軸１４ｃが軸受け１３に取り付けられることで、蓋１１ａ開放方向に回転可能となっている。
ピストンピン１６が伸長すると、図３（ロ）に示すように蓋１１ａ下面のピストンピン係合部１７と避難口側面７ａとの間を押し拡げるため、シリンダ１４ａが回転しながら蓋１１ａは開放動作する。
この蓋１１ａの開放動作に伴い、蓋１１ａ下面に設けられているフック１２ａも上方へ移動する。
それにより、フック１２ａの係止部１２ｃから伸縮梯子の下段部小梯子は外れ、伸縮梯子のフックへの懸架状態は解除され、伸縮梯子が降下伸長する。
シリンダ動作が完了すると図３（ロ）に示すように、蓋１１ａは起立状態となり、避難口６ａは完全に開放される。
【００２０】
この時、伸縮梯子は図２に示すように下方に伸長して上階から下階への避難道が形成される。
フックが外れることにより伸縮梯子は自重で降下伸長し、接地部２７が下階の床面に接地する。
シリンダ１４ａは蓋１１ａを起立させ、避難口６ａを開口状態とし、ベランダには伸縮梯子により上階から下階への避難道が形成される。
避難口側面７ａにはワイヤ巻取機４０が取り付けられている。
ワイヤ巻取機４０に巻取られている１本のワイヤ４１の先端が下段部小梯子２４ａのステップ２９に結ばれている。
ワイヤ巻取機４０はバランサ機能と巻き上げ機能を備えている。
伸縮梯子２０ａはステップ２９に結ばれたワイヤ４１が、バランサ機能によりワイヤ巻き取り方向にばね付勢されながら引き出されるため、ゆっくりと安定な速度で降下伸長する。
また、伸長された伸縮梯子２０ａはワイヤ巻取部４０がワイヤ４１を巻き取る巻き上げ機能により収縮され、容易に収納状態へと戻すことが出来る。
【００２１】
停電時等人が直接、手動で避難梯子の操作を行う場合を図４に示す。
拡大図を図８に示す係合部１７のハンドル１７ｂを手で回し、図９に係合部１７を下方より見た拡大図を示すように、係合部１７を回転させることで、ピストンピン先端１６ａのコ字形状の内側から係合部１７を抜き出し、ピストンピン１６と蓋１１ａとの係合状態を解除する。
そして、図４（ロ）に示すように取っ手１５を引き蓋１１ａを上方へ持ち上げる。
シリンダ１４ａのピストンピン先端部１６ａと蓋１１ａとの係合は解除されているため、蓋１１ａは容易に開けることが出来る。
シリンダ１４ａは蓋１１ａにバネ部材１８により連結されている。
そして、シリンダ１４ａは蓋開放に連動してバネ部材１８により引き上げられ、図４（ハ）に示すように蓋開放時には蓋１１ａと同様に起立して、避難口６ａを開口する。
そして、伸縮梯子の最下段小梯子を懸架しているフック１２ａからこの小梯子は外れ、伸縮梯子は降下伸長して避難道を形成する。
【００２２】
他の実施形態として、ロック式の伸縮梯子とした場合の避難梯子例を図５及び図６に示す。
図５（イ）は通常時に避難装置１０ｂの伸縮梯子２０ｂが収縮している側面図で、図５（ロ）は下方から見た斜視図を示す。
図５において伸縮梯子２０ｂは、一端が支柱フレーム側面に沿って摺動可能な連結板により、上段部小梯子２１ｂと中上段部小梯子２２ｂ、中上段部小梯子２２ｂと中下段部小梯子２３ｂ、及び中下段部小梯子２３ｂと下段部小梯子２４ｂがそれぞれ連結されている。
この連結構造は共通であることから中下段部小梯子２３ｂと下段部小梯子２４ｂの連結構造について説明する。
連結板３５は、固定端３５ａと摺動片３５ｃを設けた摺動端３５ｂからなり、固定端３５ａは回動可能に固定され、摺動端３５ｂは摺動片３５ｃを凹型のガイドレール３６に摺動可能に嵌め込まれている。
伸縮梯子２０ｂの降下伸長時には摺動片３５ｃがガイドレール３６内を摺動し、中下段部小梯子２３ｂの支柱フレーム３３ｂの下端部３６ａに達すると摺動片３５ｃは制止され、連結板３５により中下段部小梯子２３ｂの支柱フレーム３３ｂと下段部の支柱フレーム３４ｂはこの場合直線状に連結される。
この時固定端３５ａの軸が凹部３７へ嵌り、ストッパ３８が金具３９を覆うように当接することで連結板部分がロックされ折れ曲がりは防止される。
非常時に外部信号が避難装置１０ｂに入力されると、電動シリンダ１４ｂが駆動することにより蓋１１ｂが開放し、蓋１１ｂの開放動作によりフック１２ｂから伸縮梯子２０ｂの下段部小梯子２４ｂ上端に設けたストッパ材３８が外れ、伸縮梯子２０ｂは降下伸長する。
図６は伸縮梯子２０ｂが降下伸長し、各連結部分がロックされ、蓋１１ｂが開放し貫通孔６ｂからの避難道を形成した斜視図を示す。
伸縮梯子２０ｂは上段部小梯子２１ｂから下段部小梯子２４ｂまでが直線状に連結される。
【図面の簡単な説明】
【００２３】
【図１】（イ）は本発明に係る避難装置の梯子収納時の側面図を示し、（ロ）はその斜視図を示す。
【図２】避難梯子が階下の床に伸長した状態を示す。
【図３】（イ）蓋が閉じている要部図を示す。（ロ）シリンダにより蓋を押し上げている要部図を示す。（ハ）蓋がシリンダにより開放されている要部図を示す。
【図４】（イ）蓋が閉じている要部図を示す。（ロ）手動で蓋を持ち上げている要部図を示す。（ハ）手動で蓋を開放した要部図を示す。
【図５】（イ）はロック式の避難梯子が収納した側面図を示し、（ロ）はその斜視図を示す。
【図６】避難道を形成したロック式の避難梯子の斜視図を示す。
【図７】ベランダのイメージ図を示す。
【図８】蓋の係止部の側面から見た拡大図を示す。
【図９】蓋の係止部の下方から見た拡大図を示す。
【符号の説明】
【００２４】
２    上階ベランダ
２ａ  上階ベランダ空間
３    下階ベランダ
３ａ  下階ベランダ空間
５、５ａ  ベランダ床部材
６、６ａ、６ｂ  避難口
７ａ      避難口側面
８        避難口縁部
１０、１０ａ、１０ｂ  避難装置
１１、１１ａ、１１ｂ  蓋
１２ａ、１２ｂ    フック
１２ｃ    フック係止部
１３      軸受け
１４ａ、１４ｂ    電動シリンダ
１４ｃ    電動シリンダ回転軸
１５      取っ手
１６      ピストンピン
１６ａ    ピストンピン先端部
１７      係合部
１７ａ    係合部軸
１７ｂ    係合部ハンドル
１８      バネ部材
２０、２０ａ、２０ｂ  伸縮梯子
２１ａ、２１ｂ      上段部小梯子
２２ａ、２２ｂ      中上段部小梯子
２３ａ、２３ｂ      中下段部小梯子
２４ａ、２４ｂ      下段部小梯子
２６    溝
２７    接地部
２８    支持部材
２９    ステップ
３１ａ、３２ａ、３３ａ、３３ｂ、３４ｂ    支柱フレーム
３５      連結板
３５ａ    固定端
３５ｂ    摺動端
３５ｃ    摺動片
３６      ガイドレール
３６ａ    支柱下端部
３７      凹部
３８      ストッパ材
３９      金具
【図１】
2005027955.tif 000003
【図２】
2005027955.tif 000004
【図３】
2005027955.tif 000005
【図４】
2005027955.tif 000006
【図５】
2005027955.tif 000007
【図６】
2005027955.tif 000008
【図７】
2005027955.tif 000009
【図８】
2005027955.tif 000010
【図９】
2005027955.tif 000011